【手続補正書】
【提出日】平成18年3月10日(2006.3.10)
【手続補正１】
【補正対象書類名】明細書
【補正対象項目名】発明の名称
【補正方法】変更
【補正の内容】
【発明の名称】ネットワークシステム、ネットワークシステムの初期化方法、およびノード装置
【手続補正２】
【補正対象書類名】明細書
【補正対象項目名】特許請求の範囲
【補正方法】変更
【補正の内容】
【特許請求の範囲】
【請求項１】
複数のノード装置と、前記ノード装置に接続されるローカル通信端末と、前記ノード装置間を接続する伝送路とを有するネットワークシステムにおいて、
各前記ノード装置は、
動作時にハードウェア部に通信パスを設定し、初期化される場合には設定しないソフトウェア部と、
前記設定された通信パスが書き込まれるテーブルを有し、前記テーブルに書き込まれた通信パスにより前記ノードに係わる通信を行い、通信し、前記初期化された場合でも、その通信パスを継続するハードウェア部とを備える
ことを特徴とするネットワークシステム。
【請求項２】
それぞれが、ソフトウェア部とハードウェア部とを備える複数のノード装置と、前記ノード装置に接続されるローカル通信端末と、前記ノード装置間を接続する伝送路とを有するネットワークシステムの初期化方法において、
前記ソフトウェア部は、
動作時に通信パスの設定を行ない、前記ハードウェア部が備えるテーブルに前記設定した通信パスを書込み、初期化される場合には前記設定と書込とを中止し、
前記ハードウェア部は、
前記テーブルに書き込まれた通信パスにより前記ノードに係わる通信を行い、前記ソフトウェア部が初期化される場合にはそれまでの通信パスを継続して通信する
ことを特徴とするネットワークシステムの初期化方法。
【請求項３】
それぞれが、ソフトウェア部とハードウェア部とを備える複数のノード装置と、前記ノード装置に接続されるローカル通信端末と、前記ノード装置間を接続する伝送路とを有するネットワークシステムの初期化方法において、
前記ソフトウェア部は、
通信パスの設定を行ない、前記ハードウェア部前記設定した通信パスをテーブルにして書き込み、
ソフトウェア部の初期化が前記設定された通信パスによる前記ローカル通信端末間の通信を中断させない指定をされた場合、ソフトウェアプログラムの更新を行うと共に前記書き込まれた前記テーブルをそのまま継続するかまたは前記設定された通信パスのまま上書きし、
ソフトウェア部の初期化が前記設定された通信パスによる前記ローカル通信端末間の通信を中断させてよい場合、ソフトウェアプログラムの更新と共に新たに設定する通信パスを前記テーブルに書き込み、
前記ハードウェア部は、
前記テーブルに書き込まれた通信パスにより前記ノードに係わる通信を行う
ことを特徴とするネットワークシステムの初期化方法。
【請求項４】
それぞれが、ソフトウェア部とハードウェア部とを備える複数のノード装置と、前記ノード装置に接続されるローカル通信端末と、前記ノード装置間を接続する伝送路とを有するネットワークシステムの初期化方法において、
前記ソフトウェア部は、
動作時に通信パスの設定を行ない、前記ハードウェア部に前記設定した通信パスをテーブルにして書き込み、
前記管理手段は、
各前記ノード装置に対応するそれぞれのソフトウェアプログラムを保存し、所定のノードの前記ソフトウェアプログラムを更新する初期化が指示された場合、当該ノードの識別情報を前記保存されたソフトウェアプログラムと照合して当該ノード装置に対応する前記ソフトウェアプログラムを読み出すことにより当該ノード装置に転送し、
前記転送されたソフトウェアプログラムを受信したノードの前記ソフトウェア部は、
前記初期化が前記設定された通信パスによる前記ローカル通信端末間の通信を中断させない指定をされた場合、前記転送されたソフトウェアプログラムの更新と共に前記テーブルを書き換えるか、または前記設定された通信パスのまま上書きし、
前記初期化が前記設定された通信パスによる前記ローカル通信端末間の通信を中断させてよい場合、前記転送されたソフトウェアプログラムの更新と共に新たに設定する通信パスを前記テーブルに書き込み、
前記ハードウェア部は、
前記テーブルに書き込まれた通信パスにより前記ノードに係わる通信を行う
ことを特徴とするネットワークシステムの初期化方法。
【請求項５】
前記ソフトウェアプログラムは、前記ノードのモデル、バージョンにより区分されていることを特徴とする請求項４記載のネットワークシステムの初期化方法。
【請求項６】
前記ソフトウェアプログラムは、前記ノード毎の識別情報とノード毎の動作アプリケーションにより区分されていることを特徴とする請求項４記載のネットワークシステムの初期化方法。
【請求項７】
複数のノード装置と、前記ノード装置に接続されるローカル通信端末と、前記ノード装置間を接続する伝送路とを備えるネットワークシステムのノード装置であって、
動作時にハードウェア部に通信パスを設定し、初期化される場合には設定しないソフトウェア部と、
前記設定された通信パスが書き込まれるテーブルを有し、前記テーブルに書き込まれた通信パスにより前記ノードに係わる通信を行い、前記ソフトウェア部が初期化された場合にはその通信パスを継続するハードウェア部とを備える
ことを特徴とするノード装置。
【手続補正３】
【補正対象書類名】明細書
【補正対象項目名】０００１
【補正方法】変更
【補正の内容】
【０００１】
【発明の属する技術分野】
本発明は、ノード装置が複数接続されたネットワークシステムにおいて、ローカル通信端末間の通信が中断されることのなく、ノード装置のソフトウェアの初期化を行なうことができるネットワークシステム、ネットワークシステムの初期化方法、およびノード装置に関する。
【手続補正４】
【補正対象書類名】明細書
【補正対象項目名】０００７
【補正方法】変更
【補正の内容】
【０００７】
ノード装置を制御・監視する保守端末装置においても、異なるノード装置単位に個別のプログラムが必要となる。そこで、従来は、保守端末装置に接続しているノード装置を、保守端末装置の使用者が識別し、該ノード装置に対応するプログラムを使用者が選択し、手動で起動する必要があるため、ノード装置に対応したプログラムを誤って選択してしまうと、正常にノード装置の制御・監視ができないという問題があった。
よって、本発明では、上記問題点を解決するために、運用中の通信を中断すること無く、ソフトウェアの初期化を実現することができるネットワークシステム、また、異なる種類のソフトウェアをノード装置毎に正しい種類のソフトウェアをインストールすることのでき、また、異なるノード装置毎に対応する保守端末装置のプログラムを起動することができるネットワークシステム、ネットワークシステムの初期化方法、およびノード装置を提供することを目的とする。
【手続補正５】
【補正対象書類名】明細書
【補正対象項目名】０００８
【補正方法】変更
【補正の内容】
【０００８】
【課題を解決するための手段】
上記目的を達成するために、本発明のネットワークシステムは、複数のノード装置と、前記ノード装置に接続されるローカル通信端末と、前記ノード装置間を接続する伝送路とを有するネットワークシステムにおいて、各前記ノード装置は、動作時にハードウェア部に通信パスを設定し、初期化される場合には設定しないソフトウェア部と、前記設定された通信パスが書き込まれるテーブルを有し、前記テーブルに書き込まれた通信パスにより前記ノードに係わる通信を行い、前記初期化された場合でも、その通信パスを継続するハードウェア部とを備えることを特徴とする。
【手続補正６】
【補正対象書類名】明細書
【補正対象項目名】０００９
【補正方法】変更
【補正の内容】
【０００９】
また、本発明のネットワークシステムの初期化方法は、それぞれが、ソフトウェア部とハードウェア部とを備える複数のノード装置と、前記ノード装置に接続されるローカル通信端末と、前記ノード装置間を接続する伝送路とを有するネットワークシステムの初期化方法において、前記ソフトウェア部は、動作時に通信パスの設定を行ない、前記ハードウェア部が備えるテーブルに前記設定した通信パスを書込み、初期化される場合には、前記ハードウェア部は、前記テーブルに書き込まれた通信パスにより前記ノードに係わる通信を行い、前記ソフトウェア部が初期化される場合にはそれまでの通信パスを継続して通信することを特徴とする。
【手続補正７】
【補正対象書類名】明細書
【補正対象項目名】００１０
【補正方法】変更
【補正の内容】
【００１０】
さらに、本発明のノード装置は、複数のノード装置と、前記ノード装置に接続されるローカル通信端末と、前記ノード装置間を接続する伝送路とを備えるネットワークシステムのノード装置であって、動作時にハードウェア部に通信パスを設定し、初期化される場合には設定しないソフトウェア部と、前記設定された通信パスが書き込まれるテーブルを有し、前記テーブルに書き込まれた通信パスにより前記ノードに係わる通信を行い、前記ソフトウェア部が初期化された場合にはその通信パスを継続するハードウェア部とを備えることを特徴とする。